(57)【要約】  【課題】レーザ照射姿勢のままで電子機器と通信することができ、また、電波通信用の回路とアンテナとの電波的な干渉を防止して電子機器との通信距離を十分に確保でき、また、コンパクト化可能なレーザポインタを提供することにある。  【解決手段】レーザ光線を発光するための発光ユニット７と、前記レーザ光線の照射通路を取り囲む位置に配され且つ所定の電子機器と電波通信するためのアンテナＡとを備えて成るようにした。【選択図】図５
2006330208.tif 000002
【特許請求の範囲】
【請求項１】
レーザ光線を発光するための発光ユニットと、所定の電子機器と電波通信するためのアンテナとを備えて成るレーザポインタであって、前記アンテナはレーザ光線の照射通路を取り囲んでいることを特徴とするレーザポインタ。
【請求項２】
前記発光ユニットの少なくとも一部と電波通信用の回路とを内蔵する筐体が、電波を遮蔽可能な部材であることを特徴とする請求項１記載のレーザポインタ。
【請求項３】
前記筐体が、前記発光ユニットで発生する熱の放熱を促すための金属部材であることを特徴とする請求項２記載のレーザポインタ。
【請求項４】
前記発光ユニットが、赤色レーザ光線を発光する発光部とこの発光部が発光する赤色レーザ光線を緑色レーザ光線に変換する波長変換部とを備えて成るものであり、前記波長変換部と前記筐体とを熱伝達可能に接触又は接続していることを特徴とする請求項３記載のレーザポインタ。
【発明の詳細な説明】
【技術分野】
【０００１】
本発明は、レーザ光線によって任意の位置を照射して指示する姿勢のまま、プレゼンテーション用のパソコン等を電波通信で制御可能なレーザポインタに関するものである。
【背景技術】
【０００２】
従来から、プレゼンテーションや会議等において利用され、例えばプロジェクタやＯＨＰ(オーバーヘッドプロセッサ)等により投射した画面をレーザ光線によって照射して指示するレーザポインタが各種開発されている。このようなレーザポインタとして、赤色レーザを照射するタイプがこれまで広く利用されてきたが、近時、赤色レーザよりも比視感度が高く、色の識別が困難な人にとっても認識され易い緑色レーザを照射するタイプが注目を浴びている。
【０００３】
また、単にレーザ光線を照射するのみならず、ユーザの所定の操作に対応して所定の電子機器と赤外線を利用して通信し、表示画面を変更し得る遠隔操作可能なレーザポインタも開発され、多機能化が進んでいる。（例えば非特許文献１参照）
【非特許文献１】「コクヨオフィスサプライズ編２００５度版」、コクヨＳ＆Ｔ株式会社等、２００４年１２月発行、Ｐ．２４６の上段及び中段に示されている各種レーザポインタ
【発明の開示】
【発明が解決しようとする課題】
【０００４】
しかしながら、このようなものでは、電子機器と通信するためには、レーザ光線の照射を止めて、レーザポインタの赤外線発光部を電子機器の赤外線受光部に向けなければならないといった問題点を有している。
【０００５】
そこで、レーザ光線によって任意の位置を照射して指示するレーザ照射姿勢のままで電子機器と通信するために、赤外線に替えて電波通信によるものを採用すると、この場合には、電波通信用の回路と電波を放射するためのアンテナとが近くに設ければ、回路とアンテナとが電波的に互いに干渉して通信距離を十分に確保できないといった問題が生じてしまう。
【０００６】
本発明は、このような課題に着目してなされたものであって、主たる目的は、レーザ照射姿勢のままで電子機器と通信することができ、また、電波通信用の回路とアンテナとの電波的な干渉を防止して電子機器との通信距離を十分に確保でき、また、コンパクト化できるといった、優れたレーザポインタを提供することにある。
【課題を解決するための手段】
【０００７】
すなわち、本発明のレーザポインタは、レーザ光線を発光するための発光ユニットと、所定の電子機器と電波通信するためのアンテナとを備えて成るレーザポインタであって、前記アンテナはレーザ光線の照射通路を取り囲んでいることを特徴とする。
【０００８】
このようなものであれば、アンテナは、レーザ光線の照射通路を取り囲んでいるため、レーザ光線を照射中であっても、その照射を妨げることなくアンテナから電波を放射することができる。また、アンテナを例えば当該レーザポインタの先端側に配する一方、電波通信用の回路を当該レーザポインタの基端側に配すれば、電波通信用の回路とアンテナとの電波干渉を好適に低減することができる。また、アンテナを例えばコイル状のものとすれば、電波の届く範囲を広くしながらもコンパクト化を有効に行うことができる。
【０００９】
すなわち、レーザ照射姿勢のままで電子機器と通信することができ、また、電波通信用の回路とアンテナとの電波的な干渉を防止して電子機器との通信距離を十分に確保でき、また、コンパクト化できるといった、優れたレーザポインタを提供することができる。
【００１０】
なお、電波通信用の回路の不要輻射（電波ノイズ）を有効に遮蔽し、電子機器との通信距離を十分に確保するためには、前記発光ユニットの少なくとも一部と電波通信用の回路とを内蔵する筐体が、電波を遮蔽可能な部材であることが望ましい。ここで、「電波を遮蔽」とは、電波を完全に遮断するに限らず、電波を減衰させることを含む概念である。
【００１１】
また、発光ユニットがレーザ光線の照射時に発熱した際に、その放熱を促してレーザ光線を安定して照射できるようにするためには、前記筐体が、前記発光ユニットで発生する熱の放熱を促すための金属部材であることが好ましい。
【００１２】
前記発光ユニットが、赤色レーザ光線を発光する発光部とこの発光部が発光する赤色レーザ光線を緑色レーザ光線に変換する波長変換部とを備えて成るものであり、前記波長変換部と前記筐体とを熱伝達可能に接触又は接続しているのであれば、波長変換時に発生する熱を効果的に放熱できるので、赤色レーザ光線よりも認識の容易な緑色レーザ光線を安定して得ることができる。
【発明の効果】
【００１３】
以上説明したように本発明のレーザポインタによれば、アンテナは、レーザ光線の照射通路を取り囲んでいるため、レーザ光線を照射中であっても、その照射を妨げることなくアンテナから電波を放射することができる。また、アンテナを例えば当該レーザポインタの先端側に配する一方、電波通信用の回路を当該レーザポインタの基端側に配すれば、電波通信用の回路とアンテナとの電波干渉を好適に低減することができる。また、アンテナを例えばコイル状のものとすれば、電波の届く範囲を広くしながらもコンパクト化を有効に行うことができる。
【００１４】
すなわち、レーザ照射姿勢のままで電子機器と通信することができ、また、電波通信用の回路とアンテナとの電波的な干渉を防止して電子機器との通信距離を十分に確保でき、また、コンパクト化できるといった、優れたレーザポインタを提供することができる。
【発明を実施するための最良の形態】
【００１５】
以下、本発明の一実施形態を、図面を参照して説明する。
【００１６】
本実施形態に係るレーザポインタＰは、図１に示すように、主として、筐体１と、筐体１の先端部に着脱可能に取り付けられる先端側キャップ部材２と、筐体１の基端部に着脱可能に取り付けられる基端側キャップ部材３と、それぞれ回路５ａ、６ａを実装した第１基板５及び第２基板６を二層状に設け且つ筐体１の内部に取り付けられる内部取付ユニット４と、この内部取付ユニット４の一部として当該内部取付ユニット４の先端部側に設けられ且つ先端側キャップ部材２に包囲されるアンテナＡとを具備するものである。
【００１７】
筐体１は、図２、図３及び図４に示すように、例えば真鍮等の金属部材であり、長手方向に連通した内部空間を有する概略円筒状のペン型をなすものである。この筐体１に、後述する各スイッチカバーＣ１、Ｃ２、Ｃ３、Ｃ４を筐体１の外部に表出させるためのスイッチ用孔１１、１２、１３、１４を長手方向に沿って形成している。具体的には、筐体１の長手寸法略中間位置から先端側に向かって、平面視略縦長楕円形状をなすレーザスイッチ用孔１１、平面視略横長楕円形状をなすページバックスイッチ用孔１２及びページネクストスイッチ用孔１３、さらに平面視円形状をなすマウススイッチ用孔１４をこの順で形成している。なお、図示しないが、各孔の形成箇所近傍に、各スイッチ５２、５３、５４に対応する操作内容を直感し得る文字又は記号（例えば、「Ｌａｓｅｒ」「Ｂａｃｋ」「Ｎｅｘｔ」「Ｍｏｕｓｅ」）を刻印や印字或いはシール体の貼付等により表示している。また、マウススイッチ用孔１４を形成した箇所よりさらに先端側に、平面視略円形状の窓部１５を形成し、この窓部１５にレンズ体１６を嵌入して、この窓部１５及びレンズ体１６を利用して後述する発光体５５の発光状態を視認できるようにしている。さらに、筐体１の基端部における内周面に基端側キャップ部材３に設けた雄ネジ部３２ａに螺合可能な雌ネジ部１７を形成している。しかして、この筐体１の内周面部に、長手方向に沿って連続して延び、且つ後述する第１基板５を支持し得る一対の支持用溝１８を形成している。これら一対の支持用溝１８を相互に対向する位置、すなわち筐体１を径方向に２等分し得る位置に形成し、これら支持用溝１８同士の離間距離が筐体１の内径より若干大きくなるようにしている。なお、これら一対の支持用溝１８を結ぶ仮想直線と略直交し得る直線上において対向する一対の溝１９が筐体１の長手方向に沿って形成されているが、これらの溝１９は筐体１の成形時（引抜加工時）に便宜的に形成されたものであり、第１基板５を支持する役割を果たすものではない。本実施形態では、第１基板５を支持する役割を果たさない溝１９の何れか一方と、前記各孔１１、１２、１３、１４及び窓部１５の各中心とを略一致させている。
【００１８】
先端側キャップ部材２は、一方向側にのみ開放した概略筒状をなし、開放端側に、筐体１の先端部に嵌合可能な嵌合突出部２１（図３参照）を一体に設けた合成樹脂製のものである。この先端側キャップ部材２の外周径を筐体１の外周径に略一致させるとともに、嵌合突出部２１の外周径を筐体１の内周径より若干小さく設定し、この嵌合突出部２１を筐体１の先端部に略緊密に嵌入しその摩擦抵抗により先端側キャップ部材２を筐体１に取り付けている。また、先端側キャップ部材２の先端部には、レーザ光線（以下、レーザとする）照射用の貫通孔２２を形成している。
【００１９】
基端側キャップ部材３は、摘み部を有するキャップ本体３１と、キャップ本体３１の内部に圧入され、電池Ｂの端子として機能する端子部材３２とを備えたものである（図３参照）。端子部材３２に、筐体１の基端部における内周面に形成した雌ネジ部１７に螺合可能な雄ネジ部３２ａを形成している。
【００２０】
内部取付ユニット４は、図５に示すように、主として、所定の電子機器と通信するための電波通信用の回路５ａを実装した第１基板５と、レーザを発光するための回路６ａを実装した第２基板６と、緑色レーザを発光する発光モジュール７（本発明の「発光ユニット」に相当する）と、アンテナＡとを一体的に設けたものである。
【００２１】
第１基板５は、筐体１の内周面部に形成した前記一対の支持用溝１８同士の離間距離と略一致する巾寸法を有する概略板状のものである。この第１基板５に、電波通信用の回路５ａを実装している。具体的には、第１基板５に、ページバックスイッチ５２、ページネクストスイッチ５３及びマウススイッチ５４の各部品を基端側からこの順で実装し、各スイッチ５２、５３、５４に対して押下力が付与された場合に、これら各スイッチ５２、５３、５４毎に対応する所定の信号、すなわち、図示しない表示画面に表示されている画面を前の画面に切り替える旨の画面戻し信号、同表示画面に表示されている画面を次の画面に切り替える旨の画面送り信号、同表示画面上に表示されるマウスポインタを所定方向に移動する旨のマウスポインタ移動信号を、電波を利用して前記電子機器に接続又は内蔵した受信器に向けて発信するようにしている。本実施形態では、通信方式として、２．４５ＧＨｚ周波数帯域の電波を利用したＲＦ（Ｒａｄｉｏ  Ｆｒｅｑｕｅｎｃｙ）方式を採用し、略１０メートル以内にある電子機器との間で通信可能にしている。
【００２２】
第２基板６は、第１基板５よりも巾寸法及び長手寸法を小さく設定したものであり、この第２基板６に、レーザを発光するための回路６ａを実装している。なお、レーザを発光するか否かの制御は第１基板５に実装したレーザスイッチ５１に対して押下力が付与された否かにより行われる。また、レーザの発光に連動して点灯する発光体５５を第１基板５に実装している。本実施形態では、この発光体５５をマウススイッチ５４の実装箇所よりさらに先端側に実装している。
【００２３】
このような構成を有する第１基板５と第２基板６とを、それぞれの長手方向に沿った中心軸を一致させた状態で厚み方向に所定距離離間させた状態で積層している。第１基板５と第２基板６とは、基端部側及び先端部側にそれぞれ設けた連結部材Ｒを介して積層状に連結され、これら連結部材Ｒを利用して第１基板５に実装した電波通信用の回路５ａと第２基板６に実装した回路６ａとを相互に電気的に接続している。
【００２４】
第１基板５の基端部には、例えば合成樹脂素材からなるスペーサ８と、電池Ｂの端子として機能するバネ部材９とをそれぞれ適宜の取付手段により一体的に取り付けている。
【００２５】
発光モジュール７は、第１基板５の先端部に設けられ、図示しない半導体レーザ発光素子（この半導体レーザ発光素子が、本発明の「発光部」に相当する）及びこの半導体レーザ発光素子が発光する８０８ｎｍの赤色レーザを波長１０６４ｎｍに変換したのち波長５３２ｎｍの緑色レーザにさらに変換する図示しない波長変換部をそれぞれ内蔵する発光モジュール本体７１と、この発光モジュール本体７１のレーザ発光側に設けたレンズ部７２とを具備し、発光モジュール本体７１で発光する緑色レーザをレンズ部７２を介して照射するようにしたものである。なお、本実施形態では、１０６４ｎｍのレーザを５３２ｎｍの緑色レーザに逓倍する際の発熱を、特に効率よく放熱して緑色レーザの出力を安定させるために、発光モジュール本体７１を筐体１と共通の真鍮製とするとともに、この発光モジュール本体７１を略円筒形状に形成し、この発光モジュール本体７１の外周面を筐体１の内周面に内接させている。また、レンズ部７２を保護する合成樹脂製の保護部材７３を設けている。
【００２６】
アンテナＡは、発光モジュール７の先端部側の所定領域において、レンズ部７２を介して照射される緑色レーザの発光通路を囲むようにコイル状に巻いてなるコイル状部Ａ１と、このコイル状部Ａ１の一端を第１基板５に実装した電波通信用の回路５ａへ電気的に接続するために略直線状に延出した直線部Ａ２とを具備して成り、前記コイル状部Ａ１によって、発光モジュール７から照射される緑色レーザの発光通路を確保するとともに、レーザポインタＰと前記受信器を接続又は内蔵した電子機器との無線通信可能な距離を有効に稼いでいる。
【００２７】
以下、レーザポインタの使用方法を以下に説明する。
【００２８】
レーザポインタＰは、ユーザがレーザスイッチカバーＣ１を押下することにより、レーザスイッチ５１に対してその押下力が付与され、発光モジュール７のレンズ部７２を介して照射され且つ先端側キャップ部材２の先端部に形成した貫通孔２２を通過した緑色レーザによって任意の位置を照射して指示することができる。緑色レーザの発光中は、発光体５５が点灯し、筐体１の窓部１５及びレンズ体１６によりその点灯状態を視認することができる。また、ユーザが、ページバックスイッチカバーＣ２、ページネクストスイッチカバーＣ３、又はマウススイッチカバーＣ４を押下することにより、対応する各スイッチ５２、５３、５４に対してその押下力が付与され、各スイッチ５２、５３、５４に対応する前記各信号を電波を利用して前記受信器を接続又は内蔵した電子機器に向けて発信することができる。この場合、金属製の筐体１が、特に第１基板５に実装した電波通信用の回路５ａの不要輻射（電波ノイズ）を好適に遮蔽するため、この不要輻射による電波の干渉を有効に防止することができる。また、アンテナＡのコイル状部Ａ１の周囲を合成樹脂製の先端側キャップ部材２により被覆しているため、アンテナＡの放射する電波が無用に減衰することもない。したがって、電子機器との通信距離を十分に確保することができる。
【００２９】
このように、本実施形態に係るレーザポインタＰは、アンテナＡをコイル状のものとして当該レーザポインタＰの先端側でレーザの照射通路を取り囲む位置に配しているため、コンパクト化を有効に行いつつ、レーザを照射中であっても、その照射を妨げることなくアンテナＡから電波を放射することができる。しかも、筐体１内に配した第1基板５に実装した電波通信用の回路５ａとの電波干渉を好適に低減しながら電波の届く範囲を広くできる。
【００３０】
すなわち、レーザ照射姿勢のままで電子機器と通信することができ、また、電波通信用の回路５ａとアンテナＡとの電波的な干渉を防止して電子機器との通信距離を十分に確保でき、また、コンパクト化できるといった、優れたレーザポインタＰを提供することができる。
【００３１】
また、筐体１を金属部材である真鍮製としているため、第1基板５に実装した電波通信用の回路５ａの不要輻射（電波ノイズ）を有効に遮蔽し、電子機器との通信距離を十分に確保することができ、しかも、発光ユニットがレーザの照射時に発熱した際に、その放熱を促してレーザを安定して照射することができる。
【００３２】
そして、前記発光ユニットが、赤色レーザを発光する半導体レーザ発光素子とこの半導体レーザ発光素子が発光する赤色レーザを緑色レーザに変換する波長変換部とを備えて成るものであり、前記波長変換部と筐体１とを熱伝達可能に接触させているため、波長変換時に発生する熱を効果的に放熱でき、赤色レーザよりも認識の容易な緑色レーザを安定して得ることができる。
【００３３】
なお、本発明は、以上に詳述した実施形態に限られるものではない。
【００３４】
例えば、緑色レーザではなく、赤色レーザを照射するタイプのレーザポインタであってもよい。
【００３５】
また、通信方式として、２．４５ＧＨｚ周波数帯域以外の電波を利用した通信方式を採用してもよい。
【００３６】
また、第１基板にレーザを発光するための回路を実装し、第２基板に所定の電子機器（受信器）と通信するための回路を実装しても構わない。
【００３７】
また、前記実施形態では２枚の基板を二層状に構成した態様を示したが、これら限らず、３枚以上の基板を積層した態様を採用しても構わないし、１枚の基板であってもよい。
【００３８】
また、筐体を金属部材である真鍮製としているが、合成樹脂製のものであってもよい。
【００３９】
また、筐体を、例えば合成樹脂で形成した本体の表面に薄膜状の金属加工を施したものとするなど、筐体が、電波を遮蔽し得るものであれば、その材質や構成は任意で良い。
【００４０】
また、アンテナを、コイル状のものとしているが、形状は任意に変更可能である。
【００４１】
また、筐体はユーザが把持可能な縦長のペン型であればよく、円筒状の他、多角筒状であってよく、長手方向に沿った一部に凹部や突部、湾曲部を形成した形状であっても構わない。
【００４２】
その他、各部の具体的構成についても上記実施形態に限られるものではなく、本発明の趣旨を逸脱しない範囲で種々変形が可能である。
【図面の簡単な説明】
【００４３】
【図１】本発明の一実施形態に係るレーザポインタの全体斜視図。
【図２】同実施形態における筐体の斜視図。
【図３】同実施形態に係るレーザポインタの縦断面を模式的に示す図。
【図４】図３におけるＸ−Ｘ線断面を模式的に示す図。
【図５】同実施形態における内部取付ユニットの全体概略図。
【符号の説明】
【００４４】
Ａ・・・・アンテナ
Ｐ・・・・レーザポインタ
１・・・・筐体
５ａ・・・電波通信用の回路
７・・・・発光ユニット（発光モジュール）
【図１】
2006330208.tif 000003
【図２】
2006330208.tif 000004
【図３】
2006330208.tif 000005
【図４】
2006330208.tif 000006
【図５】
2006330208.tif 000007